(57)【要約】【課題】  撮影モードの選択を忘れたまま撮影が行われることを防止する。【解決手段】  選択操作部材１５には、規制板部１６、連結部７２、押圧部７３、ギヤ部７４、及び板バネ部７５が一体に形成されている。シャッタチャージ機構４８の巻上げノブ１２の回転操作に連動して伝達ギヤ８２が回転し、伝達ギヤ８２の回転がギヤ部７４で直進移動に変換されて選択操作部材１５及び規制板部１６が図中左側へ移動し、規制板部１６がレリーズボタン９を覆い隠すシャッタ規制位置となる。シャッタチャージ後、選択操作部材１５を板バネ部７５の付勢に抗して押し込みながら図中右側へ移動させると、規制板部１６が退避してレリーズボタン９を露呈させるシャッタ許容位置となる。【選択図】        図７
2006091533.tif 000002
【特許請求の範囲】
【請求項１】
それぞれ異なる撮影条件に合わせて設定された複数の撮影モード間で切り替え可能なモード切替機構と、外部に露呈した巻き上げ部材を移動操作することによってフイルム１コマ送り及びシャッタチャージを行うチャージ機構と、レリーズボタンの押圧操作に連動してシャッタ開閉を行うシャッタ機構とを備え、未露光の写真フイルムが予め装填されたレンズ付きフイルムユニットにおいて、
前記撮影モードを選択操作する選択操作部材と、前記レリーズボタンの押圧操作を規制する規制位置、及び前記レリーズボタンの押圧操作を許容する許容位置の間で移動自在に設けられたシャッタ規制部材と、前記チャージ機構のシャッタチャージに連動して前記シャッタ規制部材を前記許容位置から規制位置に移動させるとともに、前記選択操作部材の選択操作に連動して前記シャッタ規制部材を前記規制位置から前記許容位置に移動させる連動機構とを備えたことを特徴とするレンズ付きフイルムユニット。
【請求項２】
前記シャッタ規制部材は、前記規制位置にあるときには前記レリーズボタンを覆い隠し、前記許容位置にあるときには前記レリーズボタンを外部に露呈させることを特徴とする請求項１記載のレンズ付きフイルムユニット。
【請求項３】
前記モード切替機構は、それぞれ異なる露出条件が設定された複数の前記撮影モード間で切替可能な露出切替機構であることを特徴とする請求項１又は２記載のレンズ付きフイルムユニット。
【発明の詳細な説明】
【技術分野】
【０００１】
本発明は、撮影モードの切り替えを行うレンズ付きフイルムユニットに関するものである。
【背景技術】
【０００２】
写真フイルムが予め装填されたレンズ付きフイルムユニットが各種販売されている。最近では、例えば特許文献１に記載されているように、夜間や室内での描写力を向上させるために、高感度タイプの写真フイルムを使用するとともに、それぞれ異なる露出値が設定された複数の撮影モードのいずれかを選択することにより、日中、夜間、または室内などの撮影条件に合わせた撮影を行うことができるモード切替型のものが一般的となってきており、例えば、出願人からも「写るんですｎｉｇｈｔ＆ｄａｙ（商品名）」が製造・販売されている。
【０００３】
また、特許文献２記載のレンズ付きフイルムユニットにでは、撮影モードの選択操作に連動してファインダ内に指標を挿脱させるモード表示手段を設けており、ファインダ内で指標が視認されることにより、撮影モードの選択状態が判別されるようになっている。
【特許文献１】特開２００３−１４０２２４号公報
【特許文献２】特開２００３−３４４９１４号公報
【発明の開示】
【発明が解決しようとする課題】
【０００４】
しかしながら、上述のようなモード切替型のレンズ付きフイルムユニットでは、撮影者が撮影モードの選択を忘れたまま撮影を行ってしまうことが多い。そしてこのように撮影モードの選択を忘れてしまった場合、実際の撮影条件と異なる撮影モードが選択された状態で撮影が行われ、適切な撮影が行われないことがあった。また上記特許文献２に記載されたようなモード表示手段を設けても、撮影者がファインダ内を覗かなければ、モード選択状態を判別することができないので、やはり撮影モードの選択を忘れたまま撮影が行われることが多い。
【０００５】
本発明は上記問題を解消するためになされたもので、撮影者が撮影モードの選択を忘れたまま撮影が行われることを防止することができるレンズ付きフイルムユニットを提供することを目的とする。
【課題を解決するための手段】
【０００６】
上記課題を達成するために、本発明のレンズ付きフイルムユニットは、それぞれ異なる撮影条件に合わせて設定された複数の撮影モード間で切り替え可能なモード切替機構と、外部に露呈した巻き上げ部材を移動操作することによってフイルム１コマ送り及びシャッタチャージを行うチャージ機構と、レリーズボタンの押圧操作に連動してシャッタ開閉を行うシャッタ機構とを備え、未露光の写真フイルムが予め装填されたレンズ付きフイルムユニットにおいて、前記撮影モードを選択操作する選択操作部材と、前記レリーズボタンの押圧操作を規制する規制位置、及び前記レリーズボタンの押圧操作を許容する許容位置の間で移動自在に設けられたシャッタ規制部材と、前記チャージ機構のシャッタチャージに連動して前記シャッタ規制部材を前記許容位置から規制位置に移動させるとともに、前記選択操作部材の選択操作に連動して前記シャッタ規制部材を前記規制位置から前記許容位置に移動させる連動機構とを備えたことを特徴とする。
【０００７】
なお、前記シャッタ規制部材は、前記規制位置にあるときには前記レリーズボタンを覆い隠し、前記許容位置にあるときには前記レリーズボタンを外部に露呈させることが好ましい。また、前記モード切替機構は、それぞれ異なる露出条件が設定された複数の前記撮影モード間で切替可能な露出切替機構であることが好ましい。
【発明の効果】
【０００８】
本発明のレンズ付きフイルムユニットでは、撮影モードを選択操作する選択操作部材と、レリーズボタンの押圧操作を規制する規制位置、及びレリーズボタンの押圧操作を許容する許容位置の間で移動自在に設けられたシャッタ規制部材と、チャージ機構のシャッタチャージに連動してシャッタ規制部材を許容位置から規制位置に移動させるとともに、選択操作部材の選択操作に連動してシャッタ規制部材を規制位置から許容位置に移動させる連動機構とを備えているので、撮影モードの選択を忘れたまま撮影が行われることを確実に防ぐことができる。
【発明を実施するための最良の形態】
【０００９】
本発明を実施したレンズ付きフイルムユニットの外観を図１に示す。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１０】
ユニット本体３の前面には、撮影レンズ５，ファインダ６が設けられている。また、ユニット本体３の上面には、撮影モード選択部８、レリーズボタン９，カウンタ表示窓１０が設けられ、背面には撮影後のフイルム巻き上げに用いられる巻上げノブ１２の一部が露呈されている。
【００１１】
撮影モード選択部８は、ユニット本体３の上面に形成された操作開口１４と、この操作開口１４内で移動自在とされた略円柱形状の選択操作部材１５とからなる。操作開口１４はユニット本体３の長手方向に沿って延びるスリット状に形成されている。選択操作部材１５は、詳しくは図２に示すように、操作開口１４に沿って、指標１８ａ，１８ｂ，１８ｃの位置にそれぞれ対応する撮影禁止位置、第１操作位置、及び第２操作位置の間で移動される。
【００１２】
レンズ付きフイルムユニット２は、選択操作部材１５が撮影禁止位置にある際に、後述する規制板部１６がレリーズボタン９を覆い隠してシャッタレリーズを規制する。さらに、選択操作部材１５が第１操作位置にある際に、レリーズボタン９を露呈させるとともに、小絞り及び高速シャッタの第１撮影モードとなる。また、選択操作部材１５が第２操作位置にある際には、レリーズボタン９を露呈させるとともに、大絞り及び低速シャッタの第２撮影モードとなる。
【００１３】
ユニット本体３の構成を図３に示す。ユニット本体３は、１３５タイプのフイルムパトローネ２２が装填される本体基部２３と、本体基部２３に取り付けられる選択操作部材１５と、本体基部２３の前面側及び背面側に取り付けられる前カバー２６及び後カバー２７とからなる。なお、前カバー２６には、開口部２６ａが形成されており、この開口部２６ａからレリーズボタン９が露呈する。
【００１４】
フイルムパトローネ２２は、パトローネ２２ａと、写真フイルム２２ｂとからなり、前述のように製造時に装填される。写真フイルム２２ｂとしては、フイルム感度がＩＳＯ３２００のものが用いられている。
【００１５】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００１６】
図４は、遮光筒３５の周囲に組み込まれたシャッタレリーズ機構，絞り切替機構，シャッタ速度切替機構，撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００１７】
シャッタレリーズ機構を構成するシャッタ羽根３８は、ピン３９に挿通される穴４３ａが形成されたベース部４３と、露光開口３７の前方に配置されて該露光開口３７の開閉を行う羽根部４４と、ベース部４３と羽根部４４とを接続する連結部４５とからなる。ベース部４３には、バネ４０の他端が掛けられるピン４３ｂと、シャッタ駆動レバー４７によって蹴飛ばされる突出部４３ｃと、速度調節突起４３ｄとが設けられている。シャッタ羽根３８は、バネ４０に付勢されて露光開口３７を塞ぐ閉じ位置に保持されている。
【００１８】
シャッタ駆動レバー４７は、後述するシャッタチャージ機構４８によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３８の突出部４３ｃを蹴飛ばす。シャッタ駆動レバー４７に蹴飛ばされたシャッタ羽根３８は、バネ４０の付勢に抗して図中矢線Ｂ方向に回動し、露光開口３７を全開した後に、バネ４０の付勢によって閉じ位置に復帰する。シャッタ羽根３８は、露光開口３７を全開させる全開位置を経て、後述するレンズホルダ５６の内面に設けられたストッパーピン５６ａ（図５，図６参照）に当接する移動端位置に達するまで回動可能にされている。
【００１９】
図４に示されるように、遮光筒３５の前方には、レンズホルダ５６が取り付けられる。レンズホルダ５６の前面中央には、筒形状の鏡筒５７が形成されている。鏡筒５７内には、開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、大絞り板６２，絞り切替板６３の挿入スペースを確保するスペーサー６４が収められる。レンズホルダ５６の前面には、鏡筒５７に収められた撮影レンズ５等の部品と、鏡筒５７の外周に取り付けられた切替リング６８と、これらが外れないように押さえ付けるレンズ押さえ板６５とが取り付けられる。
【００２０】
レンズ押さえ板６５上部には、ストップレバー４９を回動自在に支持するピン５０が形成されている。ストップレバー４９は、ピン５０に支持されるボス５１と、このボス５１の側面から突出されたアーム５２とからなり、アーム５２の先端にパッド５２ａが形成されている。
【００２１】
このストップレバー４９は、パッド５２ａがシャッタ羽根３８の速度調節突起４３ｄの移動軌跡内に入り込んだ高速シャッタ位置と、パッド５２ａがその移動軌跡から退避した低速シャッタ位置との間で回動される。
【００２２】
図５に示すように、ストップレバー４９が高速シャッタ位置にあるときにシャッタレリーズが行われると、シャッタ羽根３８の速度調節突起４３ｄがパッド５２ａに当接するので、シャッタ羽根３８は全開位置から移動端位置への途中で回動が阻止される。これにより、短時間でシャッタ羽根３８が閉じ位置に復帰する。このときのシャッタ速度は１／１００秒とされており、これが第１撮影モードの高速シャッタのシャッタ速度となる。
【００２３】
上記とは逆に、図６に示すように、ストップレバー４９が低速シャッタ位置にあるときには、速度調節突起４３ｄがパッド５２ａに当接しないで回動する。このため、シャッタ羽根３８は、移動端位置まで回動する。その結果、シャッタ羽根３８が閉じ位置に復帰するまでの時間が長くなって、シャッタ速度が遅くなる。このときのシャッタ速度は１／４５秒とされており、これが第２撮影モードの低速シャッタのシャッタ速度となる。
【００２４】
大絞り板６２，絞り切替板６３，スペーサー６４，切替リング６８等により、絞り切替機構が構成される。大絞り板６２は、円形の薄板からなり、中央に大径の絞り開口６２ａが形成されている。絞り開口６２ａは、第２撮影モードの大絞りとなるものであって、絞り値がＦ４．０となるようにその径が決められている。
【００２５】
絞り切替板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、第１撮影モードの小絞りとなるものであって、絞り値がＦ１８となるようにその径が決められている。絞り切替板６３の他端には、穴６３ｃと屈曲された長穴６３ｄとが形成されている。穴６３ｃは、レンズホルダ５６の鏡筒５７の近傍に形成されたピン６６に挿通され、絞り切替板６３を揺動自在とする。
【００２６】
上記の絞り切替板６３は、小絞り部６３ａを撮影光軸上に配置する小絞り位置と、小絞り部６３ａを切欠５９から鏡筒５７の外に退避させ、大絞り開口６２ａを露呈させる大絞り位置との間で回動される。小絞り位置となると、撮影光は、大径の絞り開口６２ａと、小径の絞り開口６３ｂとを通過するようになり、結果的には径の小さい小絞り開口６３ｂによって光量が制限される。
【００２７】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、上方に突出する従動ピン６８ｃと、この従動ピン６８ｃとともにストップレバー４９のアーム５３を間に挟み込む挟持ピン６８ｄとが設けられている。
【００２８】
バネ７０の他端は、レンズホルダ５６の前面下部に形成されたピン７１に掛けられ、切替リング６８を図中矢線Ｃ方向に付勢する。なお、バネ７０によって付勢された切替リング６８は、後述する選択操作部材１５の押圧部７３によって所定の位置に保持される。
【００２９】
選択操作部材１５には、ユニット本体３の上面と平行に配置される板状の規制板部１６と、この規制板部１６の下方に延びるように位置する連結部７２と、この連結部７２の一端側に位置する押圧部７３と、この押圧部７３とは反対側に位置するギヤ部７４と、このギヤ部７４の近傍に位置する板バネ部７５とが一体に形成されている。押圧部７３には、長孔７３ａが形成されており、この長孔７３ａが切替リング６８の従動ピン６８ｃと嵌合する。選択操作部材１５は、後述する連動機構８０によってシャッタチャージ機構４８と連動して撮影禁止位置に移動する。
【００３０】
選択操作部材１５が撮影禁止位置から第２操作位置に移動すると、長孔７３ａの端部に切替リング６８の従動ピン６８ｃが当接して従動ピン６８ｃを一端側へ押圧する。これにより、切替リング６８は、バネ７０の付勢に抗して矢線Ｃ方向と逆方向に回動される。なお、選択操作部材１５が撮影禁止位置から第１操作位置に移動するときには、従動ピン６８ｃは、長孔７３ａの内部を移動するのみであり、押圧部７３からの押圧を受けないので、従動ピン６８ｃはバネ７０の付勢を受けて静止したままである。これにより、切替リング６８は、初期位置に保持される。
【００３１】
第１撮影モードのときの切替リング６８の状態を図５に、第２撮影モードのときの切替リング６８の状態を図６にそれぞれ示す。図５に示されるように、選択操作部材１５が第１操作位置のときには、押圧部７３の長孔７３ａの内部に切替リング６８の従動ピン６８ｃが位置している。そのため、切替リング６８は、絞り切替板６３を初期位置に保持している。
【００３２】
切替リング６８によって初期位置に保持されているとき、絞り切替板６３は、リンクピン６８ｂの支持により小絞り部６３ａが鏡筒５７内に挿入される。これにより、小絞り部６３ａが大絞り開口６２ａを塞いで小絞り状態となる。また、一対の挟持ピン６８ｃは、ストップレバー４９を高速シャッタ位置に保持している。
【００３３】
図６に示すように、選択操作部材１５が第２操作位置へと移動されると、バネ７０の付勢に抗して押圧部７３が従動ピン６８ｃを一端側へ押圧して切替リング６８を図中時計方向に回動させる。この切替リング６８の回動により、リンクピン６８ｂに押圧された絞り切替板６３が図中反時計方向に回動し、小絞り部６３ａが光軸上から退避して大絞り状態となる。また、一対の挟持ピン６８ｃはストップレバー４９を低速シャッタ位置にセットする。
【００３４】
上記のように、このレンズ付きフイルムユニット２は、写真フイルム２２ｂとしてフイルム感度がＩＳＯ３２００のものが用いられ、露出条件として本実施形態では、第１撮影モードではシャッタ速度が１／１００秒，絞り値がＦ１８とされ、第２撮影モードではシャッタ速度が１／４５秒，絞り値がＦ４．０であり、いずれの撮影モードでもストロボ非発光となっている。
【００３５】
上述の露出条件から、第１撮影モードでは、ＩＳＯ１００を基準としたＥＶ値で、適正ＥＶ値がＥＶ１０となっている。一方、第２撮影モードでは、ＩＳＯ１００を基準としたＥＶ値で、適正ＥＶ値がＥＶ４．５となっており、ストロボ発光を用いずに暗い室内や夜間屋外での撮影が可能とされている。なお、ＩＳＯ１００を基準とした適正ＥＶ値は、絞り値をＦ，シャッタ速度をＴ（秒）、フイルム感度をＳとしたときに、「ＥＶ＝log2(Ｆ2／Ｔ)−log2（Ｓ／１００）」で与えられる。
【００３６】
図７において、遮光筒３５の上部に組み込まれるシャッタチャージ機構４８は、カム７６、レリーズレバー７７、巻止めレバー７８、シャッタ駆動レバー４７、チャージレバー８０から構成されている。カム７６は、軸部７６ａ、円板７６ｂ、扇形状の第１カム７６ｃ、第２カム７６ｄから構成され、円板７６ｂには切り欠き７６ｅが形成されている。カム７６は、遮光筒３５に形成された穴３５ｃに軸部７６ａが挿通されている。軸部７６ａの最下端は、スプロケット８１の係合穴８１ａに係合される。スプロケット８１の外周に形成された複数の歯は、写真フイルム２２ａに形成されたパーフォレーション２２ｃに係合する。これにより、写真フイルム２２ａが給送されると、スプロケット８１が反時計方向に回転するとともに、カム７６が従動回転する。
【００３７】
巻止めレバー７８は、遮光筒３５に設けられた軸３５ａに回動自在に取り付けられており、トーションバネ８２によって時計方向に付勢される。巻止めレバー７８には、係止爪７８ａ、巻止め爪７８ｂ、係止突起７８ｃ、レリーズ部７８ｄが形成されている。巻き止めレバー７８は、シャッタチャージされたときに時計方向に回動して係止爪７８ａが切り欠き７６ｅに、巻止め爪７８ｂが巻上げノブ１２にそれぞれ係合して、カム７６及び巻上げノブ１２の回転をそれぞれ係止するロック位置となる。
【００３８】
係止突起７８ｃは、シャッタチャージ、すなわち巻上げレバー７８がロック位置となったときに、シャッタ駆動レバー４７の突起４７ｂに当接してシャッタ駆動レバー４７の反時計方向への回動を係止する。レリーズ部７８ｄは、後述するレリーズレバー７７の溝７７ｃに係合しており、レリーズボタン９が押圧操作されると、巻止めレバー７８をトーションバネ８２の付勢力に抗して反時計方向に回動する。これにより、巻止めレバー７８は、カム７６、巻上げノブ１２、シャッタ駆動レバー４７との係合がそれぞれ解除されるロック解除位置まで回動する。
【００３９】
シャッタ駆動レバー４７は、遮光筒３５に設けられたピン３５ｄに回動自在に取り付けられており、トーションバネ８３によって反時計方向に付勢される。シャッタ駆動レバー４７には、フック４７ａ、突起４７ｂ、蹴飛ばしアーム４７ｃが形成されている。フック４７ａは、第１カム７６ｃに当接する。写真フイルム２２ａの巻上げ時にカム７６が回転してフック４７ａに第１カム７６ｃが当接すると、シャッタ駆動レバー４７が時計方向に回動する。突起４７ｂは、前述のようにシャッタチャージされたときに、巻止めレバー７８の係止突起７８ｃに当接してシャッタ駆動レバー４７の反時計方向への回転を係止する。レリーズボタン９が押圧操作されて、巻止めレバー７８がロック解除位置まで回動すると、係止突起７８ｃと突起４７ｂとが離間する。これにより、シャッタ駆動レバー４７が反時計方向に回動して、蹴飛ばしアーム４７ｃがシャッタ羽根３８の突出部４３ｃを右方向に蹴飛ばしてシャッタ羽根３８が開閉される。
【００４０】
チャージレバー８０は、遮光筒３５に形成された軸５０ｅに回動自在に取り付けられており、トーションバネ８４によって反時計方向に付勢される。チャージレバー８０の上面には、腕部８０ａ及び係止突起８０ｂが形成されている。腕部８０ａの先端には当接面８０ｃが形成されており、第２カム７６ｄに当接する。
【００４１】
レリーズレバー７７には、前カバー２６の開口２６ａから露呈するレリーズボタン９の他に、軸７７ａ、腕７７ｂ、溝７７ｃが一体に形成されている。レリーズレバー７７は、図示しない係合穴に軸７７ａが挿通され、回動自在に支持されている。また、腕７７ｂは、図示しない係止部に係止されており、レリーズレバー７７が反時計方向に回動したときに弾性変形してレリーズレバー７７を時計方向に付勢する。溝７７ｃには巻止めレバー７８のレリーズ部７８ｄが係合している。
【００４２】
レリーズボタン９を深く押し込むと、レリーズレバー７７が反時計方向に大きく回動してレリーズ開始位置となる。このとき、前述の巻止めレバー７８がロック解除位置まで回動されて係止突起７８ｃが突起４７ｂから離間する。これにより、シャッタ駆動レバー４７が回動してシャッタ羽根３８が開閉される。
【００４３】
選択操作部材１５及び規制板部１６の動作を図８及び図９を用いて説明する。なお、図９においては、図面の煩雑化を防ぐため前後カバー２６，２７などの図示を省略している。選択操作部材１５の規制板部１６は、図８（Ａ）及び図９（Ａ）に示すように、レリーズボタン９を覆い隠すシャッタ規制位置と、図８（Ｃ）及び図９（Ｂ）に示すようにレリーズボタン９を露呈させるシャッタ許容位置との間で移動可能とするように取り付けられており、巻上げノブ１２の近傍に組み込まれた連動機構８０によって上述したチャージ機構４８のシャッターチャージに連動して前記シャッタ規制位置へ移動し、選択操作部材１５の選択操作に連動してシャッタ許容位置へと移動する。
【００４４】
連動機構８０は、選択操作部材１５と一体に形成されたギヤ部７４、及び板バネ部７５と、巻上げノブ１２と一体かつ同軸に形成された駆動ギア８１と、この駆動ギア８１の駆動をギヤ部７４に伝達する伝達ギア８２とからなる。ギヤ部７４は、いわゆるラックギヤ状に形成されており、伝達ギア８２から伝達された回転駆動を直進移動に変換する。板バネ部７５は、巻上げギア１２の前方に突出するように本体基部２３と一体に形成された突出部８４（図７参照）に当接しており、ギヤ部７４が伝達ギア８２と噛合するようにギヤ部７４を上方へ付勢する。
【００４５】
上述したチャージ機構４８のシャッタチャージ、すなわち巻上げノブ１２の回動操作に連動して駆動ギア８１が一体となって回転する。選択操作部材１５のギヤ部７４は、駆動ギア８１からの回転駆動により、規制板部１６とともに選択操作部材１５を図中左側へ移動させる。これによって、シャッタチャージに連動してシャッタ許容位置からシャッタ規制位置へと規制板部１６が移動する（図８（Ａ），図９（Ａ）に示す状態）。
【００４６】
また、撮影モードの選択操作をするときには、選択操作部材１５を下方に押し込みながら、第１操作位置又は第２操作位置へと選択操作部材１５をスライド移動させる。すなわち、選択操作部材１５を下方に押し込むと、板バネ部７５の付勢に抗してギヤ部７４が下方に移動して伝達ギア８２との噛合が解除される（図８（Ｂ）に示す状態）。これによって、選択操作部材１５は、図中右側への移動が自由な状態となり、選択操作部材１５を第１操作位置又は第２操作位置へと移動させることができる。第１操作位置又は第２操作位置へ選択操作部材１５が移動すると、規制板部１６も一体となって移動し、シャッタ規制位置からシャッタ許容位置へと移動する（図８（Ｃ），図９（Ｂ）に示す状態）。
【００４７】
上記構成の作用について説明する。撮影者は撮影前に、先ず、シャッタチャージ及びフイルム２２の１コマ送りをするために巻上げノブ１２を回転操作する。この巻上げノブ１２の回転操作に連動して、選択操作部材１５とともに規制板部１６がシャッタ規制位置に移動する。さらに、１コマ分のフイルム２２ａが巻き上がると、巻止め爪７８ｂが巻上げノブ１２に係合して、巻上げノブ１２がロックされる。このとき、規制板部１６がレリーズボタン９を覆い隠しているので、撮影者はシャッタレリーズを行うことができない。そして撮影者は、周囲の撮影条件、すなわち、日中か、夜間又は室内かを判断し、選択操作部材１５を撮影禁止位置から、第１操作位置又は第２操作位置へと移動させる。選択操作部材１５を移動操作して第１撮影モード又は第２撮影モードが選択されると、絞り及びシャッタ速度が上述の露出条件設定通りに切り替えられるとともに、規制板部１６がシャッタ許容位置に移動する。これによって、レリーズボタン９が外部に露呈するので、撮影者はレリーズボタン９を押圧操作して撮影を行うことができる。レリーズボタン９を押圧操作すると、シャッタ駆動レバー４７がシャッタ羽根３８を蹴飛ばして開閉させ、フイルム２２ａへの露光が行われる。そして、一回の撮影が終了すると、撮影者は再び巻上げノブ１２を回転操作してシャッタチャージを行ない、規制板部１６がシャッタ規制位置に移動する。
【００４８】
このようにして、シャッタレリーズを行うときに撮影モードの選択操作を必須とする構成、すなわち、選択操作をしなければ撮影を行うことができない構成としているので、撮影モードの選択操作を忘れたまま撮影を行うことが確実に防止され、撮影条件に合わせた撮影モードを選択した状態で撮影を行うことができる。
【００４９】
なお、上記実施形態においては、複数の撮影モードを切り替え可能な切替機構として、露出条件の異なる撮影モードを切り替える露出切替機構を備えているが、本発明はこれに限らず、ストロボ撮影と非ストロボ撮影とを切り替えるストロボ切替機構や、通常モードと接写モードとを切り替えるピント位置切替機構や、通常プリントモードとモノクロ（白黒）プリントモードとを切り替えるプリント処理指定切替機構などを備えたレンズ付きフイルムユニットに適用することもできる。また、これらの切替機構は適宜組み合わされてレンズ付きフイルムユニットに組み込まれるようにしてもよい。
【００５０】
また、上記実施形態においては、選択操作部材１５と規制板部１６とを一体に形成しており、選択操作部材１５とともに規制板部１６が移動し、選択操作、及びシャッタチャージに連動してシャッタ規制位置、及び許容位置の間で移動する構成となっているが、本発明はこれに限るものではなく、例えば、選択操作部材１５と規制板部１６とを別部材で構成して、且つこの規制板部１６が、選択操作部材１５の選択操作と、チャージ機構のシャッタチャージに連動する構成とすれば、上記実施形態と同様の効果を得ることができる。さらにまた、シャッタ規制位置においてシャッタレリーズを規制するための構成としては、上記実施形態のようにレリーズボタン９を覆い隠すようにするだけではなく、例えば、シャッタ規制位置にあるとき、レリーズボタン９が押圧操作されるときの移動軌跡の中に規制板部１６の一部が進入し、シャッタ許容位置にあるときは、この移動軌跡から退避する構成とすれば、上記実施形態と同様の効果が得られる。
【図面の簡単な説明】
【００５１】
【図１】本発明のレンズ付きフイルムユニットの一例を示す斜視図である。
【図２】レンズ付きフイルムユニットの平面図である。
【図３】レンズ付きフイルムユニットの分解斜視図である。
【図４】シャッタ機構、絞り切替機構、及びシャッタ速度切替機構の構成を示す斜視図である。
【図５】第１撮影モードのときの絞り切替機構及びシャッタ速度切替機構の状態を示す説明図である。
【図６】第２撮影モードのときの絞り切替機構及びシャッタ速度切替機構の状態を示す説明図である。
【図７】チャージ機構、及び選択操作部材の構成を示す斜視図である。
【図８】選択操作部材及びシャッタ規制部材がシャッタ規制位置からシャッタ許容位置に移動するときの状態を示す平面図である。
【図９】選択操作部材及びシャッタ規制部材がシャッタ規制位置からシャッタ許容位置に移動するときの状態を示す要部断面図である。
【符号の説明】
【００５２】
２  レンズ付きフイルムユニット
９  レリーズボタン
１２  巻上げノブ
１５  選択操作部材
１６  シャッタ規制部材
３８  シャッタ羽根
４７  シャッタ駆動レバー
４８  シャッタチャージ機構
７４  ギヤ部
７５  板バネ部
８０  連動機構
【図１】
2006091533.tif 000003
【図２】
2006091533.tif 000004
【図３】
2006091533.tif 000005
【図４】
2006091533.tif 000006
【図５】
2006091533.tif 000007
【図６】
2006091533.tif 000008
【図７】
2006091533.tif 000009
【図８】
2006091533.tif 000010
【図９】
2006091533.tif 000011